(57)【要約】【課題】既設の開き戸１に代えて開口部の膳板７ａがある側に引き戸８を新設する場合に、既設の縦枠３と引き戸縦框８ｂとの対向面間の隙間Ｓを封止する。【解決手段】引き戸７の戸先側縦框８ｂに、該縦框８ｂに固定されるベース部１８と、該ベース部１８に前後方向位置調節された状態で固定されるアダプター本体１９とで構成される封止アダプター１７を設けて既設の縦枠３と引き戸縦框８ｂとのあいだの隙間Ｓを封止する。【選択図】図５
2018031199.tif 000002
【特許請求の範囲】
【請求項１】
開口部の縦枠と閉戸状態の引き戸縦框との対向面間のあいだに封止すべき隙間がある状態で該引き戸が設けられる建物開口部において、前記隙間を封止するための封止アダプターを、引き戸縦框に設けたことを特徴とする建物開口部構造。
【請求項２】
封止アダプターは、引き戸縦框に固定されるベース部と、開口部縦枠に対して前後位置調節がなされた状態でベース部に固定されるアダプター本体とを備えて構成されることを特徴とする請求項１記載の建物開口部構造。
【請求項３】
ベース部は、開口部縦枠側が開口した凵溝形をし、アダプター本体は、外幅がベース部の凹溝に前後移動自在に内嵌する寸法設定になった幅狭部を備えていることを特徴とする請求項２記載の建物開口部構造。
【請求項４】
アダプター本体は、前記幅狭部と、外幅がベース部の外幅と同寸法になった幅広部とを備えていることを特徴とする請求項３記載の建物開口部構造。
【請求項５】
開口部縦枠は撤去された既存の開き戸用のものであり、引き戸は開き戸に代えて改装された新設のものであることを特徴とする請求項１乃至４の何れか１記載の建物開口部構造。
【請求項６】
開口部には固定窓が連設され、隙間は、固定窓の下端部に設けられる膳板があることにより形成されることを特徴とする請求項１乃至５の何れか１記載の建物開口部構造。
【請求項７】
封止アダプターは、膳板より下側部分が切欠かれていることを特徴とする請求項６記載の建物開口部構造。
【発明の詳細な説明】
【技術分野】
【０００１】
本発明は、建物の開口部において、例えば戸体を、前後方向（見込方向）に開閉移動する開き戸から左右方向（見付け方向）に開閉移動する引き戸に改装した場合の建物開口部構造の技術分野に関するものである。
【背景技術】
【０００２】
今日、建物の開口部に建て付けられた前後方向に開閉移動する開き戸（スイング式ドア）を、左右方向に開閉移動する引き戸（スライド式ドア）に改装して、開き戸の前後方向の開閉領域を有効利用できるようにすることが試みられている。この場合に、開口部に設けられる既存の枠体はそのまま残し、該既存枠体の屋外側（あるいは屋内側）に新規開口部を形成し、この新規開口部に引き戸を左右方向移動自在に設けるようにして改装するものが提唱されている（例えば特許文献１参照。）。
【先行技術文献】
【特許文献】
【０００３】
【特許文献１】特開２０１５−２３２２７０号公報
【発明の概要】
【発明が解決しようとする課題】
【０００４】
ところが前記従来のもののなかには、既存の開口部に隣接する固定窓（フィックス窓）に膳板があるようなものがあり、このようなものにおいて開き戸を引き戸に改装することがあり、この場合において、膳板をそのまま残し、該膳板に隣接する状態で新設の引き戸を設けようとしたとき、膳板があるが故に既存縦枠と引き戸縦框の互いに対向する見付け面同士のあいだに隙間ができてしまうことになり、このため、既存縦枠に封止用のアダプター設け、引き戸の全閉時、既存縦枠と引き戸縦框とのあいだの隙間を封止して雨仕舞いをよくすると共に、風の入り込みを防止するようにしている。
しかしながらこのものでは、改装現場において封止アダプターをいちいち既存縦枠に取付けなければならないが、この場合、上下方向に長い起立状の既存縦枠に、位置合わせをする状態で新規アダプター枠をビス等を用いて取付け固定しなければならないため作業性が悪いだけでなく、取付け精度を欠く恐れがあり、この場合、封止アダプターと引き戸縦框との隙間を精度よく塞ぐことができず、引き戸の建付けが悪くなって雨仕舞いや隙間からの風の浸入等の点で問題となり、これらに本発明の解決すべき課題がある。
【課題を解決するための手段】
【０００５】
本発明は、上記の如き実情に鑑みこれらの課題を解決することを目的として創作されたものであって、請求項１の発明は、開口部の縦枠と閉戸状態の引き戸縦框との対向面間のあいだに封止すべき隙間がある状態で該引き戸が設けられる建物開口部において、前記隙間を封止するための封止アダプターを、引き戸縦框に設けたことを特徴とする建物開口部構造である。
請求項２の発明は、封止アダプターは、引き戸縦框に固定されるベース部と、開口部縦枠に対して前後位置調節がなされた状態でベース部に固定されるアダプター本体とを備えて構成されることを特徴とする請求項１記載の建物開口部構造である。
請求項３の発明は、ベース部は、開口部縦枠側が開口した凵溝形をし、アダプター本体は、外幅がベース部の凹溝に前後移動自在に内嵌する寸法設定になった幅狭部を備えていることを特徴とする請求項２記載の建物開口部構造である。
請求項４の発明は、アダプター本体は、前記幅狭部と、外幅がベース部の外幅と同寸法になった幅広部とを備えていることを特徴とする請求項３記載の建物開口部構造である。
請求項５の発明は、開口部縦枠は撤去された既存の開き戸用のものであり、引き戸は開き戸に代えて改装された新設のものであることを特徴とする請求項１乃至４の何れか１記載の建物開口部構造である。
請求項６の発明は、開口部には固定窓が連設され、隙間は、固定窓の下端部に設けられる膳板があることにより形成されることを特徴とする請求項１乃至５の何れか１記載の建物開口部構造である。
請求項７の発明は、封止アダプターは、膳板より下側部分が切欠かれていることを特徴とする請求項６記載の建物開口部構造である。
【発明の効果】
【０００６】
請求項１の発明とすることにより、封止アダプターは、引き戸縦框に設けられることになるから、引き戸を開口部に建て付ける前段階での取付けが可能となり、この結果、封止アダプターの精度の良い取り付けが簡単にできることになって作業性が向上する。
請求項２の発明とすることにより、封止アダプターの幅を、現場ごとに調節できるだけでなく、既存縦枠が傾斜している場合であっても隙間の封止ができることになる。
請求項３の発明とすることにより、位置調節できる封止アダプターの構造が簡略になる。
請求項４の発明とすることにより、外観の優れた封止アダプターの提供ができることになる。
請求項５の発明とすることにより、既存の開き戸用縦枠をそのまま残した状態で新設の引き戸に改装できることになる。
請求項６の発明とすることにより、固定窓下端部にある膳板はそのまま残した状態で封止性に優れた引き戸に改装できることになる。
請求項７の発明とすることにより、引き戸縦框に封止アダプターを取付けるものでありながら、膳板が邪魔になることなく引き戸の開閉ができることになる。
【図面の簡単な説明】
【０００７】
【図１】（Ａ）（Ｂ）は建物開口部の改装前後の状態をそれぞれ示す正面図である。
【図２】改装前の開口部の水平断面図である。
【図３】改装前の開口部の縦断面図である。
【図４】改装前の固定窓部の縦断面図である。
【図５】改装後の開口部の水平断面図である。
【図６】改装後の開口部の縦断面図である。
【図７】改装後の固定窓部の縦断面図である。
【図８】（Ａ）（Ｂ）は封止アダプターの斜視図、引き戸縦框に取り付けた状態を示す水平断面図である。
【図９】（Ａ）（Ｂ）は両引き戸、片引き戸に対する封止アダプターの取付け状態を示す概略平面図である。
【図１０】（Ａ）は両開き式で一方に壁がある場合の引き戸に対する封止アダプターの取付け状態を示す概略平面図、（Ｂ）（Ｃ）は片開き式で一方に壁がある場合の引き戸に対する封止アダプターの取付け状態を示す概略平面図である。
【発明を実施するための形態】
【０００８】
以下、本発明の実施の形態について、図面に基づいて説明する。図１（Ａ）、２〜４は前後方向揺動自在に軸支された開き戸が設けられた既存の開口部が描かれたものであり、図１（Ｂ）、５以降の図面が、前記既存の開口部を、改装により左右移動自在な引き戸を設けたものである。
【０００９】
図１（Ａ）、図２〜４において、１は既存の両開き式の開き戸であって、該開き戸１は、上枠２、左右の縦枠３、沓摺（下枠）４により四周が囲撓形成される開口部Ｋに建て付けられるものであって、上枠２、沓摺４にそれぞれ設けられたピボットヒンジ５、フロアヒンジ５ａに開閉揺動自在に軸支されている。
そして本実施の形態では、開口部Ｋの左右方向両側にガラス板６ａが嵌め込まれた固定窓（フィックス窓）６が設けられているが、該固定窓６の下枠６ｂは床面Ｆよりも上側に位置し、下枠６ｂと床面Ｆとのあいだには室内側に突出するようにして設けられた腰壁７と、該腰板7の上端縁に設けられる膳板7ａとが備えられている。そして本実施の形態では、膳板７ａと同じ形状の型材が額縁７ｂとなって固定窓６の左右外側の縦枠６ｃ、上枠６ｄ、開口部Ｋの上枠２、膳板７ａよりも下側の縦枠３の各見付け面側外端部（縦枠６ｃ、３については左右方向外端部、上枠６ｃ、２については上方向外端部）に一部がオーバーラップする状態で設けられている。
因みに本実施の形態では、開口部Ｋの上側部分には欄間Ｒが設けられる一方、固定窓６部分は、欄間がなく、一枚状のガラス板６ａが嵌め込まれたものとなっているが、固定窓６部分についても欄間を設けてもよいことは勿論である。尚、欄間Ｒは、固定式（嵌め殺し）のものであってもよいが、本実施の形態では開閉自在に構成され、必要において通気、排煙ができるようになっている。
【００１０】
そしてこの開き戸１を、上枠２、縦枠３を既存のものとして残したまま、開き戸１、ピボットヒンジ５、フロアヒンジ５ａ及び沓摺４を取外し、膳板７ａの外側（室内側）に位置する状態で両開き式の引き戸８を組付ける改装がなされることになり、以下、改装された構成について詳述する。
【００１１】
図１（Ｂ）、図５以降の改装後の図面において、９は開口部Ｋの上枠（欄間Ｒの下枠）９及び固定窓６の左右方向外側の縦枠６ｃの見付け面に固定された補助枠であって、該補助枠９は、額縁７ｂの見付け面と面一状になっており、該補助枠９の見付け面に、電動モータ１０、ガイドレール１１、駆動スプロケット１２、伝動ベルト１３等の駆動機構を構成する部材装置が内装された駆動ケース１４がビス１４ａを介して固定されている。
引き戸８は、伝動ベルト１３にブラケット１５を介して連結され、電動モータ１０の正逆駆動に伴う伝動ベルト１３の移動に連動して左右開閉移動をするようになっていること等は何れも従来通りである。
尚、床面Ｆには、引き戸８の下端縁に設けた被ガイド体８ａが移動自在にガイドされるガイドレール１６が埋設されている。
【００１２】
前記引き戸８には、本実施の形態では膳板７ａがあるため、閉戸したとき縦枠３とのあいだに隙間Ｓがあり、この隙間Ｓを塞ぐため封止アダプター１７が戸先側の縦框３に取付けられているが、該封止アダプター１７は、本実施の形態では、凵溝形状をし、溝底部１８ａが前記縦框８ｂにビス１８ｂを介して固定されるベース部１８と、該ベース部１８の外幅と略同寸法の外幅を有する幅広部１９ａ及びベース部１８の内幅と略同寸法でベース部１８の溝内に摺動自在に内嵌する外幅を有した幅狭部１９ｂを有したアダプター本体１９とを備えて構成されているが、さらに本実施の形態では、封止アダプター１７の上下両端部には、封止アダプター１７と同構造をしていてゴム質弾性材から形成された指挟み緩衝材２０が例えば接着剤で貼着される等して設けられている。
【００１３】
そして封止アダプター１７は、膳板７ａを避けるため、該膳板７ａよりも下側部位が切欠かれた長さに設定されている。しかも封止アダプター１７は、ベース部１８をビス１８ｂを介して戸先側の縦框８ｂに固定すると共に、縦枠３の見付け面に対する隙間Ｓに合わせてアダプター本体１９を前後方向に移動させ、ビス１９ｃを介してベース部１８に固定することになるが、これらの作業は、工場で行ってもよいが、改装現場において開き戸８をブラケット１５を介して駆動機構に建て付ける前に行ってもよい。
【００１４】
叙述の如く構成された本発明の実施の形態において、膳板７ａが固定窓６の下側にあるため、引き戸８の戸先側縦框８ｂと既存の縦枠３との対向面間に隙間Ｓができるが、この隙間Ｓは引き戸縦框８ｂに設けた封止アダプター１７によって封止されることになる。
この場合に封止アダプター１７は、例えば現場において引き戸８を駆動機構に建て付ける前の段階で取付けることができるため、低い位置で安定した状態での取付けができるため、作業性がよいだけでなく、取付け精度も高いものにできる。
【００１５】
そして封止アダプター１７としては、ベース部１８を引き戸８の縦框８ｂにビス１８ｂを介して取付け、駆動機構に建付け後、アダプター本体１９の幅狭部１９ｂをベース部１８に嵌入組込みをし、既存縦枠３の見付け面と所定寸法で対向するよう位置合わせをし、ビス１９ｃを介してベース部１８に固定する作業ができるため、例えば既存縦枠３の見付け面に傾斜があったとして、この傾斜に合わせた状態でアダプター本体１９の組込みができることになって建付け精度の良いものにできる。
【００１６】
しかも封止アダプター１７は、新設の開き戸８の縦框８ｂに膳板７ａと対向するようにして設けられるものであるから、開き戸８の移動に伴い移動することになるが、膳板７ａよりも下側が切欠かれているため、封止アダプター１７が膳板７ａに当たってしまうことがない。そのうえ封止アダプター１７の上下端部にはゴム質弾性材からなる指挟み緩衝材２０が設けられているため、引き戸８の開閉移動時において、例えば膳板７ａと封止アダプター１７とのあいだで指挟みが生じた場合、指挟み緩衝材２０が弾性変形することになって挟まれた指がけがをすることから回避することができる。
尚、この指挟み緩衝材２０は、指挟みをする環境にない場合には必ずしも必要ないことは勿論である。
【００１７】
尚、本発明は前記実施の形態に限定されるものでないことは勿論であって、引き戸８が片引き式（左開き式）のものである場合、図９（Ｂ）で示すように両縦框８ｂに封止アダプター１７を取付けることで閉戸時の雨仕舞いを確保することができるが、両開き式のものにおいてもこの方式を用いることができる。また引き戸の開閉は電動とすることなく手動としてもよい。
さらに図１０（Ａ）に示すように両開き式のものにおいて、一方が壁Ｗである場合には壁Ｗがない側の引き戸のみに封止アダプター１７を取付けることができ、また図１０（Ｂ）（Ｃ）で示すように片開き式（左開き式、右開き式）のものにおいて、一方が壁Ｗである場合に、壁Ｗのない側の縦框に封止アダプター１７を取付けることができる。
またさらに、前記実施の形態では新設の引き戸を用いたが、既設の開き戸を引き戸に改装して用いることもできる。
【産業上の利用可能性】
【００１８】
本発明は、建物の開口部において、戸体を、膳板がある側において、前後方向に開閉移動する開き戸から左右方向に開閉移動する引き戸に改装する場合に利用することができる。
【符号の説明】
【００１９】
１  開き戸
３  縦枠
６  固定窓
６ｂ  下枠
６ｃ  縦枠
７ａ  膳板
８  引き戸
８ｂ  戸先側縦框
９  補助枠
１７  封止アダプター
１８  ベース部
１８ａ  溝底部
１９  アダプター本体
１９ａ  幅広部
１９ｂ  幅狭部
２０  指挟み緩衝材
Ｋ  開口部
Ｓ  隙間
【図１】
2018031199.tif 000003
【図２】
2018031199.tif 000004
【図３】
2018031199.tif 000005
【図４】
2018031199.tif 000006
【図５】
2018031199.tif 000007
【図６】
2018031199.tif 000008
【図７】
2018031199.tif 000009
【図８】
2018031199.tif 000010
【図９】
2018031199.tif 000011
【図１０】
2018031199.tif 000012